(57)【特許請求の範囲】
【請求項１】
所定のブロック単位で、ユーザーデータに誤り訂正符号を付加して誤り訂正処理単位のデータを生成し、前記誤り訂正処理単位のデータを情報記録媒体に記録する情報処理装置において、
前記誤り訂正処理単位のデータのうちの所定データ量のデータの前後に同期信号を配置して前記情報記録媒体に記録し、
前記所定データ量が、該データ量のデータを全てビット誤りとした時でも、前記誤り訂正符号により誤り訂正可能であり、かつ、残る前記誤り訂正処理単位のデータについても誤り訂正能力を確保できるデータ量である
情報処理装置。
【請求項２】
所定のブロック単位で、ユーザーデータに誤り訂正符号を付加して誤り訂正処理単位のデータを生成し、サーボエリアにより区切られた複数の領域に前記誤り訂正処理単位のデータを記録する情報処理装置において、
前記サーボエリアとの境界に続いて、第１の同期信号、所定データ量の前記誤り訂正処理単位のデータ、第２の同期信号、前記誤り訂正処理単位のデータが続くように記録し、
前記所定データ量が、該データ量のデータを全てビット誤りとした時でも、前記誤り訂正符号により誤り訂正可能であり、かつ、残る前記誤り訂正処理単位のデータについても誤り訂正能力を確保できるデータ量である
情報処理装置。
【請求項３】
情報記録媒体に記録されたユーザーデータを再生する情報処理装置において、
前記情報記録媒体は、
所定のブロック単位で、前記ユーザーデータに誤り訂正符号が付加されて誤り訂正処理単位のデータが生成され、前記誤り訂正処理単位のデータのうちの所定データ量のデータの前後に同期信号を配置して、前記誤り訂正処理単位のデータが記録され、
前記所定データ量が、該データ量のデータを全てビット誤りとした時でも、前記誤り訂正符号により誤り訂正可能であり、かつ、残る前記誤り訂正処理単位のデータについても誤り訂正能力を確保できるデータ量であり、
前記情報処理装置は、
前記情報記録媒体より再生信号を検出する再生信号検出手段と、
前記再生信号の前記同期信号を基準にしてビット同期、バイト同期を検出して検出結果を出力する同期手段と、
前記検出結果を基準にして、前記再生信号を処理して前記誤り訂正処理単位のデータを再生する再生信号処理手段と、
前記再生信号処理手段で再生された前記誤り訂正処理単位のデータを誤り訂正処理して前記ユーザーデータを出力する誤り訂正手段とを有し、
前記誤り訂正手段は、
前記所定データ量のデータの前側に配置した前記同期信号により、前記同期手段が同期困難な場合、前記所定データ量のデータの全てをビット誤りしたものと設定して前記誤り訂正処理単位のデータを誤り訂正処理する
情報処理装置。
【請求項４】
情報記録媒体に記録されたユーザーデータを再生する情報処理装置において、
前記情報記録媒体は、
所定のブロック単位で、ユーザーデータに誤り訂正符号が付加されて誤り訂正処理単位のデータが生成され、サーボエリアにより区切られた複数の領域に前記誤り訂正処理単位のデータが記録され、
前記１つの領域において、前記サーボエリアとの境界に続いて、第１の同期信号、所定データ量の前記誤り訂正処理単位のデータ、第２の同期信号、前記誤り訂正処理単位のデータが続くように記録され、
前記所定データ量が、該データ量のデータを全てビット誤りとした時でも、前記誤り訂正符号により誤り訂正可能であり、かつ、残る前記誤り訂正処理単位のデータについても誤り訂正能力を確保できるデータ量であり、
前記情報処理装置は、
前記情報記録媒体より再生信号を検出する再生信号検出手段と、
前記再生信号の前記同期信号を基準にしてビット同期、バイト同期を検出して検出結果を出力する同期手段と、
前記検出結果を基準にして、前記再生信号を処理して前記誤り訂正処理単位のデータを再生する再生信号処理手段と、
前記再生信号処理手段で再生された前記誤り訂正処理単位のデータを誤り訂正処理して前記ユーザーデータを出力する誤り訂正手段とを有し、
前記誤り訂正手段は、
前記第１の同期信号により、前記同期手段が同期困難な場合、前記所定データ量のデータの全てをビット誤りしたものと設定して前記誤り訂正処理単位のデータを誤り訂正処理する
情報処理装置。
【請求項５】
所定のブロック単位で、ユーザーデータに誤り訂正符号が付加されて誤り訂正処理単位のデータが生成され、前記誤り訂正処理単位のデータのうちの所定データ量のデータの前後に同期信号を配置して、前記ユーザーデータが記録され、
前記所定データ量が、該データ量のデータを全てビット誤りとした時でも、前記誤り訂正符号により誤り訂正可能であり、かつ、残る前記誤り訂正処理単位のデータについても誤り訂正能力を確保できるデータ量である
情報記録媒体。
【請求項６】
所定のブロック単位で、ユーザーデータに誤り訂正符号が付加されて誤り訂正処理単位のデータが生成され、サーボエリアにより区切られた複数の領域に前記誤り訂正処理単位のデータが記録され、
前記１つの領域において、前記サーボエリアとの境界に続いて、第１の同期信号、所定データ量の前記誤り訂正処理単位のデータ、第２の同期信号、前記誤り訂正処理単位のデータが続くように記録され、
前記所定データ量が、該データ量のデータを全てビット誤りとした時でも、前記誤り訂正符号により誤り訂正可能であり、かつ、残る前記誤り訂正処理単位のデータについても誤り訂正能力を確保できるデータ量である
情報記録媒体。
【請求項７】
所定のブロック単位で、ユーザーデータに誤り訂正符号を付加して誤り訂正処理単位のデータを生成し、前記誤り訂正処理単位のデータを伝送する情報の伝送方法において、
前記誤り訂正処理単位のデータのうちの所定データ量のデータの前後に同期信号を配置して前記誤り訂正処理単位のデータを伝送し、
前記所定データ量が、該データ量のデータを全てビット誤りとした時でも、前記誤り訂正符号により誤り訂正可能であり、かつ、残る前記誤り訂正処理単位のデータについても誤り訂正能力を確保できるデータ量である
情報の伝送方法。
【発明の詳細な説明】
【０００１】
【発明の属する技術分野】
本発明は、情報処理装置、情報記録媒体及び情報の伝送方法に関し、例えばリムーバブルの磁気ディスク装置に適用することができる。本発明は、誤り訂正処理可能なデータ量によりデータを区切って、前後に同期信号を配置して所望のデータを記録し、伝送することにより、従来に比して格段的に誤り訂正能力を向上することができるようにする。
【０００２】
【従来の技術】
従来、磁気ディスク装置である磁気ディスク装置等においては、記録に供するデータ（以下ユーザーデータと呼ぶ）を所定のブロック単位で区切って誤り訂正符号を付加して記録することにより、ビット誤りの発生を有効に防止するようになされている。
【０００３】
すなわち磁気ディスク装置においては、図６に示すように、例えばユーザーデータＤＡＴＡを５１２バイト単位で区切ってブロック化し、各ブロックに誤り訂正符号ＥＣＣ（Error Correcting Code)を付加する。磁気ディスク装置は、このようにして所定のデータ量によるユーザーデータと誤り訂正符号とにより誤り訂正処理単位のデータを生成し、この誤り訂正処理単位のデータを単位にしてユーザーデータを記録する。
【０００４】
また磁気ディスク装置は、このようにして誤り訂正処理単位のデータの先頭に、ジッタ吸収用のパターンＳＴＨ、再生系におけるＰＬＬ回路の同期用のパターンＰＬＬを配置し、これにより再生時、ビット同期できるようにする。また続いて所定の同期パターンＳｙｎｃを配置し、これによりワード同期を検出できるようにする。磁気ディスク装置は、このようにして所定のデータを先頭側に配置した後、シャフリング処理してなるユーザーデータＤＡＴＡ、誤り訂正符号ＥＣＣを続け、再生系の遅延時間を補償するデータＰａｄ、ギャップＳＴＧを配置して１つのブロックをハードディスクに記録する。
【０００５】
これにより磁気ディスク装置は、再生時、同期用のパターンＰＬＬによりビット同期した後、続く同期パターンＳｙｎｃによりワード同期し、続くユーザーデータＤＡＴＡを誤り訂正符号と共に再生するようになされている。
【０００６】
【発明が解決しようとする課題】
ところで磁気ディスク装置においては、近年、記録密度が格段的に向上していることにより、例えば携帯型の磁気ディスク装置により大容量の記録再生装置を構成して、多量のデータを簡易に携帯して種々の場所で利用できると考えられる。
【０００７】
ところがこのような携帯型の磁気ディスク装置においては、取り扱いの際、従来の磁気ディスク装置に比して格段的に過大な衝撃等が加わることも考えられる。これにより従来の磁気ディスク装置に適用されているようなデータ処理フォーマットでは、エラー訂正能力が不足すると考えられる。
【０００８】
すなわち図６に示す例にあっては、例えば傷等により同期パターンＳｙｎｃを検出できない場合、５１２バイトのユーザーデータＤＡＴＡの全てが再生困難となる。
【０００９】
本発明は以上の点を考慮してなされたもので、従来に比して格段的に誤り訂正能力を向上することができる記録処理装置、情報記録媒体及び情報の伝送方法を提案しようとするものである。
【００１０】
【課題を解決するための手段】
かかる課題を解決するため請求項１の発明においては、情報処理装置に適用して、誤り訂正処理単位のデータのうちの所定データ量のデータの前後に同期信号を配置して情報記録媒体に記録し、この所定データ量が、該データ量のデータを全てビット誤りとした時でも、誤り訂正符号により誤り訂正可能であり、かつ、残る誤り訂正処理単位のデータについても誤り訂正能力を確保できるデータ量であるようにする。
【００１１】
また請求項２の発明においては、サーボエリアにより区切られた複数の領域に誤り訂正処理単位のデータを記録する情報処理装置において、サーボエリアとの境界に続いて、第１の同期信号、所定データ量の誤り訂正処理単位のデータ、第２の同期信号、誤り訂正処理単位のデータが続くように記録し、この所定データ量が、該データ量のデータを全てビット誤りとした時でも、誤り訂正符号により誤り訂正可能であり、かつ、残る誤り訂正処理単位のデータについても誤り訂正能力を確保できるデータ量であるようにする。
【００１２】
また請求項３の発明においては、情報処理装置に適用して、情報記録媒体が、誤り訂正処理単位のデータのうちの所定データ量のデータの前後に同期信号を配置して誤り訂正処理単位のデータが記録されており、さらに所定データ量が誤り訂正符号により誤り訂正可能であり、かつ、残る誤り訂正処理単位のデータについても誤り訂正能力を確保できるデータ量である場合に、所定データ量のデータの前側に配置した同期信号により、同期手段が同期困難な場合、この所定データ量のデータの全てをビット誤りしたものと設定して誤り訂正処理単位のデータを誤り訂正処理する。
【００１３】
また請求項４の発明においては、情報処理装置に適用して、情報記録媒体が、サーボエリアにより区切られた複数の領域に誤り訂正処理単位のデータが記録され、この１つの領域において、サーボエリアとの境界に続いて、第１の同期信号、所定データ量の誤り訂正処理単位のデータ、第２の同期信号、誤り訂正処理単位のデータが続くように記録されており、さらに所定データ量が誤り訂正符号により誤り訂正可能であり、かつ、残る誤り訂正処理単位のデータについても誤り訂正能力を確保できるデータ量である場合に、第１の同期信号により、同期手段が同期困難な場合、この所定データ量のデータの全てをビット誤りしたものと設定して誤り訂正処理単位のデータを誤り訂正処理する。
【００１４】
また請求項５の発明においては、情報記録媒体に適用して、誤り訂正処理単位のデータのうちの所定データ量のデータの前後に同期信号を配置してユーザーデータを記録し、この所定データ量が、該データ量のデータを全てビット誤りとした時でも、誤り訂正符号により誤り訂正可能であり、かつ、残る誤り訂正処理単位のデータについても誤り訂正能力を確保できるデータ量であるようにする。
【００１５】
また請求項６の発明においては、情報記録媒体に適用して、サーボエリアにより区切られた複数の領域に誤り訂正処理単位のデータが記録され、この１つの領域において、サーボエリアとの境界に続いて、第１の同期信号、所定データ量の誤り訂正処理単位のデータ、第２の同期信号、誤り訂正処理単位のデータが続くように、またこの所定データ量が、該データ量のデータを全てビット誤りとした時でも、誤り訂正符号により誤り訂正可能であり、かつ、残る誤り訂正処理単位のデータについても誤り訂正能力を確保できるデータ量であるようにして記録する。
【００１６】
また請求項７の発明においては、情報の伝送方法に適用して、誤り訂正処理単位のデータのうちの所定データ量のデータの前後に同期信号を配置して誤り訂正処理単位のデータを伝送し、この所定データ量が、このデータ量のデータを全てビット誤りとした時でも、誤り訂正符号により誤り訂正可能であり、かつ、残る誤り訂正処理単位のデータについても誤り訂正能力を確保できるデータ量であるようにする。
【００１８】
請求項１、請求項２、請求項３又は請求項４の構成によれば、傷等により所定データ量のデータの前側に配置した同期信号により同期困難となって、この所定データ量のデータを正しく再生できない場合でも、続く同期信号を基準にして残りのデータを再生した誤り訂正処理によりこのデータを再生することができる。このときこの所定データ量のデータの前後に配置した同期信号においては、離間して配置されていることにより、その分傷等に対して十分なマージンを確保することができる。これらにより従来に比して格段的に誤り訂正能力を向上することができる。
【００２２】
また請求項５又は請求項６の構成によれば、情報記録媒体に適用して、所定データ量のデータの前側の同期信号が傷等により再生困難な場合でも、誤り訂正処理単位に割り当てたユーザーデータを正しく再生することができ、これにより従来に比して格段的に誤り訂正能力を向上することができる。
【００２４】
また請求項７の構成によれば、情報の伝送方法に適用して、所定データ量のデータの前側の同期信号を正しく伝送できない場合、さらにはこの前後を同期信号に挟まれたデータ全体を正しく伝送できない場合でも、ユーザーデータを正しく再生することができ、これにより従来に比して格段的に誤り訂正能力を向上することができる。
【００２６】
【発明の実施の形態】
以下、適宜図面を参照しながら本発明の実施の形態を詳述する。
【００２７】
（１）実施の形態の構成
図２は、本発明の実施の形態に係る磁気ディスク装置を示すブロック図である。この磁気ディスク装置１は、映像機器等に着脱自在に保持されて、この映像機器等より出力されるデータ（以下ユーザーデータと呼ぶ）を記録し、また記録したＡＶデータをこの映像機器に出力する。さらにこの磁気ディスク装置１は、所定のケースに磁気ディスク２を収納してディスクカートリッジが形成され、このディスクカートリッジを着脱自在に保持する。これによりこの磁気ディスク装置１は、必要に応じて磁気ディスク２を取り外して、このディスクカートリッジを単体で装着可能な撮像装置等で記録再生に使用できるように構成され、磁気ディスク装置１自体を携帯しなくて良い分、携帯性を向上して使い勝手を向上できるようになされている。
【００２８】
磁気ディスク２は、図３に示すように、所定の角間隔で放射状に９６箇所のサーボエリアＳＡＲが形成され、ユーザーデータを記録するデータエリアＤＡＲがサーボエリアＳＡＲ間に形成される。ここでこれらサーボエリアＳＡＲは、各トラックのアドレスを示すコード、スピンドルモータの制御に必要な磁化パターン、トラッキング制御に必要な磁化パターン等を磁気ディスク２に事前に記録して形成される。磁気ディスク２は、このスピンドルモータの制御に必要な磁化パターンより得られる再生信号が一定の周波数となるように回転駆動して、情報記録面の何れの箇所をアクセスする場合でも、一定の回転速度により回転駆動できるようになされている。これに対してデータエリアＤＡＲは、サーボエリアＳＡＲに区切られてフレームＦが形成される。
【００２９】
磁気ディスク２は、情報記録面が同心円状に分割されて複数のゾーンＺ０〜Ｚｎに分割される。磁気ディスク２は、各ゾーンＺ０〜Ｚｎがそれぞれ所定の角間隔による境界により区切られてセクタＳＴ０、ＳＴ１、ＳＴ２、……が形成される。磁気ディスク２は、１つのセクタＳＴ０、ＳＴ１、ＳＴ２、……における円周方向の長さが各ゾーンＺ０〜Ｚｎの対応する位置でほぼ等しくなるように、この境界の角度が各ゾーンＺ０〜Ｚｎ毎に設定される。さらに磁気ディスク２は、一定の回転速度により回転駆動された状態で、外周側ゾーンＺ０より内周側ゾーンＺｎをアクセスするに従ってデータ転送速度を順次低減して（すなわちデータ転送用であるデータクロックの周波数を順次低減して）、各ゾーンＺ０〜Ｚｎをアクセスするように構成される。
【００３０】
これにより磁気ディスク２では、内周側と外周側とで記録波長がほぼ等しくなるように、すなわち外周側程１つのフレームに記録されるデータ量が増大するように、ユーザーデータが記録され、その分単に一定周波数のデータクロックにより記録する場合に比して記録密度を向上できるようになされている。
【００３１】
磁気ディスク２は、このようにセクタＳＴを設定して各ゾーンＺ０〜Ｚｎで円周方向に余りが発生しないようにセクタＳＴ０、ＳＴ１、ＳＴ２、……の長さ、各ゾーンＺ０〜Ｚｎの幅が設定される。また少なくとも１つの境界（図３において符号Ａ０により示す）は、各ゾーンＺ０〜Ｚｎで直線状に並ぶように形成され、この１つの境界Ａ０より開始するセクタＳＴ０を以下において、第１番目のセクタと定義する。磁気ディスク２は、これらにより内周側程、１つのセクタＳＴ０、ＳＴ１、ＳＴ２、……を構成するフレームの数が増大するように、また外周側程、１つのトラックのセクタ数が増大するようになされている。
【００３２】
図４は、このように磁気ディスク２に設定される１つのセクタＳＴ０、ＳＴ１、ＳＴ２、……に割り当てられるユーザーデータと、誤り訂正符号との関係を示す図表である。磁気ディスク２は、順次入力されるユーザーデータが２０４８バイト単位で区切られ、この２０４８バイトのユーザーデータ（図４においては、単に数字により各１バイトのユーザーデータを示す）に対して、４バイトの誤り検出符号（ＥＤＣ：Error Detecting Code) Ｃ０〜Ｃ３、３２０バイトの誤り訂正符号（ＥＣＣ：Error Correcting Code)Ｐ０．１〜Ｐ１９．１５を割り当てて１つの誤り訂正処理単位であるＥＣＣブロックが構成される。磁気ディスク２は、この１つのＥＣＣブロックを構成するユーザーデータ、誤り検出符号、誤り訂正符号が他の同期信号等と共に１つのセクタＳＴ０、ＳＴ１、ＳＴ２、……に割り当てられる。
【００３３】
ここで磁気ディスク２は、２０４８バイトのユーザーデータと４バイトの誤り検出符号Ｃ０〜Ｃ３に対して、いわゆる２０ウエイにより誤り訂正符号Ｐ０．１〜Ｐ１９．１５が割り当てられる。すなわち磁気ディスク２は、横方向２０バイト、縦方向１０３バイトにより、２０４８バイトのユーザーデータと４バイトの誤り検出符号Ｃ０〜Ｃ３とをマトリックス状に配列して、この縦方向に並ぶユーザーデータ、誤り検出符号に対してそれぞれ１６バイトの誤り訂正符号Ｐ０．１〜Ｐ１９．１５が設定される。これにより磁気ディスク２は、誤り訂正符号Ｐ０．１〜Ｐ１９．１５を用いて、この表における縦方向の１列において、ビット誤りの箇所を特定できない場合、最大８バイトまで誤り訂正できるようになされ、ビット誤りの箇所を特定できる場合には、縦方向で最大１６バイトまで誤り訂正できるようになされている。
【００３４】
磁気ディスク２は、このようにして形成される１セクタ分のデータが図１に示す原則により記録される。なおこれらユーザーデータ、誤り検出符号、誤り訂正符号においては、１つの誤り訂正処理単位であることにより、以下において、これらを適宜ＥＣＣデータと呼び、符号Ｄｅｃｃにより示す。
【００３５】
すなわち磁気ディスク２は、ＥＣＣデータの記録を開始する場合、ＥＣＣデータの先頭に、記録再生の動作の切り換えのタイミングを吸収するためのヘッダＳＴＨ、ＰＬＬ回路を同期させてビット同期を図るための同期パターンＰＬＬ、バイト同期を図るための所定の同期パターンＳｙｎｃが配置される。
【００３６】
さらに磁気ディスク２は、これらヘッダＳＴＨ、同期パターンＰＬＬ及びＳｙｎｃに続いて、所定データ量だけＥＣＣデータを記録し（この図１においてはユーザーデータＤＡＴＡ１）、再びヘッダＳＴＨ、ＰＬＬ回路を同期させてビット同期を図るための同期パターンＰＬＬ、バイト同期を図るための所定の同期パターンＳｙｎｃが配置される。さらに残りのユーザーデータＤＡＴＡ２、誤り訂正符号ＥＣＣ、処理回路の遅延時間を補償するためのデータＰａｄ、ギャップＳＴＧが配置される。
【００３７】
ここでＥＣＣデータＤＡＴＡ１、ＤＡＴＡ２、ＥＣＣは、誤り訂正符号の生成方向と直交する方向である行方向（図４において横方向である）に１行分のデータが連続して割り当てられた後、続く１行分のデータが連続して割り当てられ、この一連の繰り返しの順序により磁気ディスク２に記録される。すなわち図４において数字により示した順序である。
【００３８】
これにより磁気ディスク２は、ビット同期、バイト同期用の同期信号である同期パターンＰＬＬ及びＳｙｎｃがサーボエリアＳＡＲに続いて配置された後、所定のデータ量を単位にしてＥＣＣデータＤＡＴＡ１、（ＤＡＴＡ２、ＥＣＣ）が記録された後、さらに同期パターンＰＬＬ及びＳｙｎｃが配置されるようになされている。
【００３９】
ここでこのように２種類の同期パターンＰＬＬ及びＳｙｎｃ間に配置されてなるＥＣＣデータＤＡＴＡ１のデータ量は、これらＥＣＣデータＤＡＴＡ１の先頭に配置された同期パターンＰＬＬ及びＳｙｎｃによりビット同期、バイト同期困難で、これらＥＣＣデータＤＡＴＡ１が全てビット誤りした場合でも、誤り訂正符号により誤り訂正可能なデータ量であり、また残るＥＣＣデータＤＡＴＡ２、ＥＣＣについても十分なエラー訂正能力を確保できるデータ量に設定される。また大きな傷が発生した場合でも、このＥＣＣデータＤＡＴＡ１を間に挟む２種類の同期パターンＰＬＬ及びＳｙｎｃが同時に再生困難となる場合を実用上十分に回避できる程度に、これら２種類の同期パターンＰＬＬ及びＳｙｎｃが離間して磁気ディスク２上に記録されるように設定される。
【００４０】
具体的に、このように２種類の同期パターンＰＬＬ及びＳｙｎｃ間に配置されてなるＥＣＣデータＤＡＴＡ１のデータ量は、図４について説明した連続する４行分のデータである８０バイトに設定される。この８０バイトのデータ量にあっては、縦方向によりＥＣＣデータを見たとき、１列に１６バイトの誤り訂正符号ＥＣＣが設定されていることにより、同期パターンＰＬＬ及びＳｙｎｃが検出困難であって、このデータＤＡＴＡ１の全てにビット誤りが発生したとして誤り訂正符号ＥＣＣにより誤り訂正処理した場合に、この１列、１６バイトの誤り訂正符号のうちの４バイトの誤り訂正符号により誤り訂正することができ、残り１２バイトの誤り訂正符号ＥＣＣを残るユーザーデータの誤り検出、訂正に割り当てることができる。すなわちこの場合、各列で６バイトの誤りを検出して誤り訂正することができる。
【００４１】
これによりこの実施の形態では、例えばサーボエリアＳＡＲに続く同期パターンＰＬＬ及びＳｙｎｃを傷等により検出できない場合でも、ユーザーデータを再生できるようになされ、その分従来に比して格段的に誤り訂正能力を向上することができるようになされている。
【００４２】
図５は、磁気ディスク２の具体的な記録フォーマットを示す図表である。磁気ディスク２は、上述したように、各ＥＣＣデータの先頭より８０バイトのデータを単位にして同期パターンＰＬＬ及びＳｙｎｃを配置する。これに加えて磁気ディスク２は、ＥＣＣデータを連続して記録できない箇所では、この箇所の直後の領域で同様にＥＣＣデータを８０バイト単位で区切って同期パターンＰＬＬ及びＳｙｎｃを配置する。なおこの図５は、最外周のゾーンＺ０について、第１番目のフレームＦ０側を示す図であり、他のゾーンについても同様に形成される。またこの図５において表中に示す数字は、各ＥＣＣデータＤｅｃｃのバイト数である。
【００４３】
すなわち磁気ディスク２は、先頭のフレームＦ０については、ヘッダＳＴＨ、同期パターンＰＬＬ及びＳｙｎｃによるデータＳＨに続いて、８０バイトのＥＣＣデータＤｅｃｃ１が記録された後、同様のヘッダＳＴＨ、同期パターンＰＬＬ及びＳｙｎｃによるデータＳＭが記録され、さらに６５４バイトのＥＣＣデータＤｅｃｃ２が記録され、続いて再生系の遅延時間を補償するデータＰａｄ、ギャップＳＴＧによるデータＳＥが記録される。これにより磁気ディスク２は、１つのＥＣＣデータを構成する２０４８バイト＋３２０バイトのデータのうち、７３４バイトのデータがこの先頭フレームＦ０に割り当てられる。
【００４４】
磁気ディスク２は、続いてサーボエリアＳＡＲを間に挟んで、第２のフレームＦ１が続き、この場合、サーボエリアＳＡＲによりＥＣＣデータを連続して記録できなくなる。これにより磁気ディスク２は、第１のフレームＦ０と同様に、ヘッダＳＴＨ、同期パターンＰＬＬ及びＳｙｎｃによるデータＳＨに続いて、８０バイトのＥＣＣデータＤｅｃｃ１が記録された後、同様のヘッダＳＴＨ、同期パターンＰＬＬ及びＳｙｎｃによるデータＳＭが記録され、さらに６５４バイトのＥＣＣデータＤｅｃｃ２が記録され、続いて再生系の遅延時間を補償するデータＰａｄ、ギャップＳＴＧによるデータＳＥが記録される。これにより磁気ディスク２は、１つのＥＣＣデータを構成する２０４８バイト＋４＋３２０バイトのデータのうち、７３４×２バイトのデータが第１及び第２のフレームＦ０及びＦ１に割り当てられる。
【００４５】
さらに磁気ディスク２は、続く第３のフレームＦ２についても同様にＥＣＣデータが割り当てられ、これらにより第１のセクタＳＴ０に割り当てられたＥＣＣデータが残り１７０バイト残ることになる。磁気ディスク２は、続く第４のフレームＦ３において、この場合も、このヘッダＳＴＨ、同期パターンＰＬＬ及びＳｙｎｃによるデータＳＨに続いて、８０バイトのＥＣＣデータＤｅｃｃ１が記録される。さらにヘッダＳＴＨ、同期パターンＰＬＬ及びＳｙｎｃによるデータＳＭが記録され、残る９０バイトのＥＣＣデータＤｅｃｃ２が記録され、続いて再生系の遅延時間を補償するデータＰａｄ、ギャップＳＴＧによるデータＳＥが記録される。これにより磁気ディスク２は、この場合、４つのフレームに１つのＥＣＣデータが割り当てられて記録される。
【００４６】
磁気ディスク２は、このようにして４つのフレームにＥＣＣデータを割り当てて、この第４のフレームＦ３に残る領域より、続くセクタＳＴ１のＥＣＣデータを記録する。すなわち磁気ディスク２は、ギャップＧＡＰが間に挟まれて、この場合も、ヘッダＳＴＨ、同期パターンＰＬＬ及びＳｙｎｃによるデータＳＨに続いて、８０バイトのＥＣＣデータＤｅｃｃ１が記録される。さらにヘッダＳＴＨ、同期パターンＰＬＬ及びＳｙｎｃによるデータＳＭが記録され、３１０バイトのＥＣＣデータＤｅｃｃ２が記録され、データＰａｄ、ギャップＳＴＧによるデータＳＥが記録される。
【００４７】
また続く第５及び第６のフレームＦ４、Ｆ５に、ヘッダＳＴＨ、同期パターンＰＬＬ及びＳｙｎｃによるデータＳＨ、８０バイトのＥＣＣデータＤｅｃｃ１、ヘッダＳＴＨ、同期パターンＰＬＬ及びＳｙｎｃによるデータＳＭ、６４５バイトのＥＣＣデータＤｅｃｃ２が記録され、データＰａｄ、ギャップＳＴＧによるデータＳＥが記録される。
【００４８】
また続く第７のフレームＦ６に、ヘッダＳＴＨ、同期パターンＰＬＬ及びＳｙｎｃによるデータＳＨ、８０バイトのＥＣＣデータＤｅｃｃ１、ヘッダＳＴＨ、同期パターンＰＬＬ及びＳｙｎｃによるデータＳＭ、残り４３４バイトのＥＣＣデータＤｅｃｃ２が記録され、データＰａｄ、ギャップＳＴＧによるデータＳＥが記録される。これにより第２のセクターがフレームＦ３〜Ｆ６に記録される。
【００４９】
さらに磁気ディスク２は、ギャップＧＡＰを間に挟んで、このフレームＦ６の残りの領域に、ヘッダＳＴＨ、同期パターンＰＬＬ及びＳｙｎｃによるデータＳＨが記録され、この場合このフレームＦ６においては、残りの領域が少ないことにより７２バイトのＥＣＣデータＤｅｃｃ１が記録された後、データＰａｄ、ギャップＳＴＧによるデータＳＥが記録される。
【００５０】
磁気ディスク２は、このようにして各ゾーンＺ０〜Ｚｎにおいて、順次フレームにＥＣＣデータが記録される。なお他のゾーンにおいては、１つのフレームに記録可能なデータ量がこのゾーンＺ０と異なることにより、この場合、データＳＭに続いて記録するＥＣＣデータＤｅｃｃ２のデータ量がその分異なることになる。
【００５１】
磁気ディスク装置１において（図１）、スピンドルモータ３は、ディスクカートリッジが装填されると、所定のチャッキング機構により磁気ディスク２をチャッキングし、ドライバ４より出力される駆動信号により磁気ディスク２を一定の回転速度で回転させる。
【００５２】
磁気ヘッド５は、ディスクカートリッジが装填されてこの磁気ディスク装置１の動作が立ち上げられると、所定のアクチュエータにより磁気ディスク２の情報記録面に近接して保持され、磁気ディスク２の再生信号を出力する。また記録時においては、所定のタイミングでリードライトチャンネル回路６より出力される記録信号に応じた磁界を磁気ディスク２に印加し、これにより磁気ディスク２にユーザーデータを記録する。
【００５３】
リードライトチャンネル回路６は、磁気ヘッド５から出力される再生信号を増幅して信号処理することにより、サーボエリアＳＡＲよりサーボクロックを再生し、このサーボクロックをコントローラ７に出力する。またリードライトチャンネル回路６は、このサーボクロックによりサーボエリアＳＡＲより得られる再生信号を信号処理し、磁気ヘッド５がアクセスしているトラックアドレスを検出する。また所定のタイミングでサーボエリアＳＡＲより得られる再生信号の信号レベルを検出し、この検出結果をコントローラ７に出力する。
【００５４】
さらにリードライトチャンネル回路６は、再生時、データエリアＤＡＲより得られる再生信号を信号処理することにより、同期パターンＰＬＬに同期したデータクロックを再生してコントローラ７に出力する。またリードライトチャンネル回路６は、このデータクロックを基準にして続く同期パターンＳｙｎｃの再生信号を信号処理することにより、バイト同期のタイミングを検出する。この処理においてリードライトチャンネル回路６は、連続するこれら同期パターンＰＬＬ、同期パターンＳｙｎｃの検出結果を基準にして所定のウインドウを設定して続く同期パターンＰＬＬ、同期パターンＳｙｎｃを検出してこれらビット同期、バイト同期の処理を実行し、これら同期パターンＰＬＬ、同期パターンＳｙｎｃを検出できない場合、エラーフラグＦをコントローラ７に出力する。
【００５５】
さらにリードライトチャンネル回路６は、このようにして得られるデータクロックを基準にしてデータエリアＤＡＲより得られる再生信号を２値識別することにより、再生信号を２値のシリアルデータ列に変換する。リードライトチャンネル回路６は、バイト同期の検出結果より、このシリアルデータ列をバイト単位の再生データに変換してコントローラ７に出力する。
【００５６】
これに対して記録時、リードライトチャンネル回路６は、コントローラ７より出力されるデータ列を符号化処理して記録信号を生成し、この記録信号により磁気ヘッド５を駆動する。これによりリードライトチャンネル回路６は、コントローラ７より出力される同期パターンＰＬＬ、Ｓｙｎｃ、ＥＣＣデータ等を磁気ディスク２に記録する。このときリードライトチャンネル回路６は、コントローラ７の制御により分周比を切り換えて所定の基準信号を分周してデータクロックを生成し、このデータクロックをコントローラ７に出力すると共に、このデータクロックにより一連の符号化処理等を実行する。これによりリードライトチャンネル回路６は、図３について上述した各ゾーンＺ０〜Ｚｎに対応するデータクロックによりユーザーデータを記録する。
【００５７】
なおリードライトチャンネル回路６は、これらサーボクロック、データクロックの他にも、上述したセクタ単位の記録に必要な各種基準信号を生成し、この基準信号により動作すると共に、この基準信号をコントローラ７に出力するようになされている。
【００５８】
コントローラ７は、リードライトチャンネル回路６から出力されるサーボクロックの周波数が所定周波数になるように、ドライバ４を介してスピンドルモータ３を駆動する。またコントローラ７は、外部機器より入力されるコマンドに応動してドライバ８を介してアクチュエターを駆動し、これにより磁気ヘッド５を所望のトラックにシークさせる。このときコントローラ７は、この外部機器より入力されるコマンドの解析によりシーク先に係るトラックアドレスと、リードライトチャンネル回路６で検出されるとトラックアドレスとの比較結果に基づいてアクチュエターを駆動し、これにより磁気ヘッド５を所望のトラックにシークさせる。さらにコントローラ７は、リードライトチャンネル回路６から出力されるサーボエリアＳＡＲの信号レベル検出結果よりトラッキングエラー信号を生成し、このトラッキングエラー信号によりアクチュエーターを駆動し、これによりトラッキング制御の処理を実行する。
【００５９】
これに対してコントローラ７は、記録時においては、制御コマンドに続いて入力されるユーザーデータをバッファメモリ９に一時保持する。さらにコントローラ７は、図４について説明したフォーマットに従って、このバッファメモリ９に保持したユーザーデータに誤り検出符号、誤り訂正符号を付加し、ＥＣＣデータを生成する。コントローラ７は、さらにバッファメモリ９に同期パターンＰＬＬ、Ｓｙｎｃ等によるコードを設定し、これらのデータを図５について説明した記録先のセクタに対応するタイミングにより順次リードライトチャンネル回路６に出力する。
【００６０】
これに対して再生時、コントローラ７は、リードライトチャンネル回路６から出力される再生データをバッファメモリ９に一時保持し、記録時に付加した誤り訂正符号ＥＣＣにより誤り訂正処理し、その処理結果であるユーザーデータを外部機器に出力する。このときコントローラ７は、記録時に付加した誤り検出符号により誤り訂正処理結果の誤りを検出し、ここで誤りが検出されると、さらには誤り訂正符号により誤り訂正困難な場合、リトライするように全体の動作を制御する。
【００６１】
さらにコントローラ７は、この誤り訂正処理において、リードライトチャンネル回路６からエラーフラグＦが通知されると、続いてリードライトチャンネル回路６から出力される連続する再生データについては、ビット誤りしているとして誤り訂正処理する。
【００６２】
（２）実施の形態の動作
以上の構成において、磁気ディスク装置１では（図２）、映像機器に装着されて、この映像機器より出力されるユーザーデータを記録し、また記録したユーザーデータをこの映像機器に出力する。磁気ディスク装置１は、このように所望の機器に接続して使用できることにより、携帯することが考えられ、これにより磁気ディスク２に傷等が発生する頻度が従来の磁気ディスク装置等に比して多くなると考えられる。また磁気ディスク装置１は、所定のケースに磁気ディスク２を収納してディスクカートリッジが形成され、このディスクカートリッジを取り外して携帯することもできることにより、これによっても磁気ディスク２に傷等が発生する頻度が従来の磁気ディスク装置等に比して多くなると考えられる。
【００６３】
このような磁気ディスク装置１においては、スピンドルモータ３により回転駆動される磁気ディスク２の再生信号が磁気ヘッド５より得られ、この再生信号がリードライトチャンネル回路６、コントローラ７により処理される。この処理において、磁気ディスク装置１では、磁気ディスク２に所定の角間隔により形成されたサーボエリアＳＡＲの再生信号を基準にして（図３）、磁気ディスク２が所定の回転速度により回転するようにコントローラ７によりスピンドルモータ３の動作が制御される。また所望のトラックにアクセスするように、さらにはこの所望のトラックにジャストトラッキングするようにコントローラ７により磁気ヘッド５がシークされ、さらにはトラッキング制御される。
【００６４】
このようにしてサーボエリアＳＡＲを基準にしてアクセス制御される磁気ディスク装置１において、映像機器より記録に供するユーザーデータが入力されると、このユーザーデータにおいては、コントローラ７を介してバッファメモリ９に一時保持される。ここでユーザーデータは（図４）、２０４８バイト単位でブロック化され、２０ウエイによる処理により４バイトの誤り検出符号ＥＤＣ、３２０バイトの誤り訂正符号ＥＣＣがコントローラ７により設定され、これにより誤り訂正処理単位のデータであるＥＣＣデータが生成される。さらにユーザーデータは、同期パターンＰＬＬ、Ｓｙｎｃが設定されて記録に供する１セクタ分のデータがバッファメモリ９上で構成され、このデータが順次リードライトチャンネル回路６を介して磁気ディスク２に記録される。
【００６５】
このときこのユーザーデータにおいては、磁気ディスク２の内周側と外周側とでほぼ等しい線記録密度となるように、磁気ディスク２の外周側ゾーンＺ０から内周側ゾーンＺｎに向かうに従って順次段階的にデータ転送速度が低下するように磁気ディスク２に記録され、これにより磁気ディスク２の情報記録面を有効に利用して高密度記録される。またサーボエリアＳＡＲにより区切られて形成されたフレームＦに対して、複数フレームＦを跨ぐような、大きなデータ量による２０ウエイの誤り訂正符号が設定されて記録され、これにより従来に比して誤り訂正能力が向上される。
【００６６】
さらにユーザーデータにおいては、１つのセクタを同期パターンＰＬＬ、Ｓｙｎｃ等の記録により開始して８０バイトだけＥＣＣデータが記録されると、同期パターンＰＬＬ、ＳｙｎｃによるデータＳＭ（図１及び図５）が記録された後、残りのＥＣＣデータが記録される。またサーボエリアＳＡＲにより連続したデータの記録が困難な部位でも、同様に、同期パターンＰＬＬ、Ｓｙｎｃ等の記録の後、８０バイトだけＥＣＣデータが記録されると、同期パターンＰＬＬ、ＳｙｎｃによるデータＳＭ（図１及び図５）が記録された後、残りのＥＣＣデータが記録される。
【００６７】
ユーザーデータにおいては、この８０バイトの単位が、この８０バイトのユーザーデータが全てビット誤りした場合でも、誤り訂正符号により誤り訂正可能なデータ量であり、また残るＥＣＣデータＤＡＴＡ２、ＥＣＣについても十分なエラー訂正能力を確保できるデータ量に設定されていることにより、また大きな傷が発生した場合でも、この８０バイトのユーザーデータを間に挟む２種類の同期パターンＰＬＬ及びＳｙｎｃが同時に再生困難となる場合を実用上十分に回避できる程度に、これら２種類の同期パターンＰＬＬ及びＳｙｎｃが離間して磁気ディスク２上に記録される単位であることにより、従来に比して格段的に誤り訂正能力が強化される。
【００６８】
すなわち同期パターンＰＬＬ、Ｓｙｎｃにあっては、連続した記録の処理によりフレームの途中に記録された場合、ビット同期困難、バイト同期困難となる場合は極めて稀であり、このような場合は実用上十分にビット同期困難、バイト同期困難となる状況を無視することができる。これに対してセクタの記録開始直後、サーボエリアＳＡＲの直後に記録した場合、過酷な使用により稀ではあるがビット同期困難、バイト同期困難となる場合がある。
【００６９】
このようなセクタの記録開始直後、又はサーボエリアＳＡＲの直後に記録した同期パターンＰＬＬ、Ｓｙｎｃでビット同期困難、バイト同期困難となると、この実施の形態では、続く８０バイトのデータを正しく再生することが困難になる。しかしながらこの８０バイトのデータを正しく再生することが困難となっても、この実施の形態では、残るＥＣＣデータによりこの８０バイトのデータを誤り訂正処理して救済することができる。これにより同期パターンの傷等によるビットエラーの発生を従来に比して格段的に低減することが可能となる。
【００７０】
またこのように８０バイトのデータを間に挟んで、２つの同期パターンＰＬＬ、Ｓｙｎｃを記録したことにより、傷等により仮に先頭側の同期パターンＰＬＬ、Ｓｙｎｃにより同期困難な場合でも、残る同期パターンＰＬＬ、Ｓｙｎｃについては確実に同期をとってデータを再生することができ、これによっても従来に比して誤り訂正能力を強化することができる。
【００７１】
さらにこの実施の形態では、２０ウエイによる縦方向１６バイトの誤り訂正符号に対して、このように２つの同期パターンＰＬＬ、Ｓｙｎｃ間に配置するＥＣＣデータのデータ量が４行分に相当する８０バイトであるのに対し、極めて稀ではあるが、このような８０バイト単位のユーザーデータが複数箇所で同期困難となった場合でも、これらのデータを救済することができ、これによっても一段と誤り訂正能力が向上される。
【００７２】
すなわちこのようにして記録されたユーザーデータにおいては、再生時、磁気ヘッド５から得られる再生信号よりリードライトチャンネル回路６でデータクロックが再生され、さらにこのデータクロックにより再生信号が処理されてバイト同期が図られ、さらに再生信号の２値識別結果がバイト同期結果により処理されて誤り訂正符号、誤り検出符号と共に再生される。このようにして再生されたユーザーデータは、誤り訂正符号、誤り検出符号と共にバッファメモリ９に一時保持され、ここで誤り訂正処理、誤り検出処理されて映像機器に出力される。
【００７３】
この一連の処理において、ビット同期、バイト同期できなかった場合、ユーザーデータにおいてはエラーフラグＦがセットさてれバッファメモリ９に格納され、ここで誤り訂正処理されてビット誤りが救済される。このときユーザーデータは、同期できなかった場合にはエラーフラグＦを設定してビット誤りしたものとして処理されことにより、縦方向に１６バイトの誤り訂正符号のうち、４バイトによりこの８０バイトのユーザーデータを誤り訂正処理することができる。これにより残りのユーザーデータについても、十分な誤り検出訂正能力が確保される。なお、このようにエラーフラグＦを設定してビット誤りしたものとして処理する場合には、計算の上では最大で、８０バイトのユーザーデータについて４箇所で同期困難な場合でも誤り訂正処理できることになる。
【００７４】
（３）実施の形態の効果
以上の構成によれば、誤り訂正処理可能なデータ量によりデータを区切って、前後に同期信号を配置して所望のデータを記録することにより、従来に比して格段的に誤り訂正能力を向上することができる。
【００７５】
（４）他の実施の形態
なお上述の実施の形態においては、２０４８バイト単位でユーザーデータを区切って２０ウエイにより１６バイトの誤り訂正符号を付加する場合について述べたが、本発明はこれに限らず、種々のフォーマットによる誤り訂正符号を設定する場合に広く適用することができる。
【００７６】
また上述の実施の形態においては、磁気ディスクに連続して記録できない部位で、ＥＣＣデータを区切って同期信号を記録する場合について述べたが、本発明はこれに限らず、例えばこのようなサーボエリアのような連続した記録を困難とする領域が形成されていない記録媒体にあっては、記録単位であるＥＣＣデータの先頭より所定データ量で同期信号を介挿するようにしてもよい。なおこの場合、サーボエリア間の１つのデータエリアに１つの誤り訂正処理単位のデータを割り当てて記録する場合、さらには光ディスクのようにサーボエリア自体が無いような記録媒体に記録する場合等が該当することになる。
【００７７】
また上述の実施の形態においては、情報記録面を複数のゾーンに分割してユーザーデータを記録する場合について述べたが、本発明はこれに限らず、種々のフォーマットにより記録する場合に広く適用することができる。
【００７８】
また上述の実施の形態においては、所望の記録媒体にユーザーデータを記録し、また再生する場合について述べたが、本発明はこれに限らず、無線通信路、有線通信路等によりデータを伝送する場合にも広く適用することができる。
【００７９】
【発明の効果】
上述のように本発明によれば、誤り訂正処理可能なデータ量によりデータを区切って、前後に同期信号を配置して所望のデータを記録することにより、従来に比して格段的に誤り訂正能力を向上することができる。
【図面の簡単な説明】
【図１】本発明の実施の形態に係る磁気ディスクにおける記録のフォーマットの説明に供する略線図である。
【図２】本発明の実施の形態に係る磁気ディスク装置を示すブロック図である。
【図３】図２の磁気ディスク装置に適用される磁気ディスクの構成を示す平面図である。
【図４】図２の磁気ディスク装置における誤り訂正符号の説明に供する図表である。
【図５】図２の磁気ディスク装置に適用される磁気ディスクのフレームとセクタの関係を示す図表である。
【図６】従来の磁気ディスクにおける記録のフォーマットの説明に供する略線図である。
【符号の説明】
１……磁気ディスク装置、２……磁気ディスク、５……磁気ヘッド、６……リードライトチャンネル回路、７……コントローラ、８……バッファメモリ
【図１】
0004247651.tif 000002
【図２】
0004247651.tif 000003
【図３】
0004247651.tif 000004
【図４】
0004247651.tif 000005
【図５】
0004247651.tif 000006
【図６】
0004247651.tif 000007